(57)【要約】【課題】ヘッド傾きによる白すじの発生や記録ムラを防止し、高画質記録を実現することができるインクジェット記録ヘッドおよびインクジェット記録装置を提供すること。【解決手段】大液滴、中液滴、小液滴の３種類の液滴を吐出するノズルを備えた記録ヘッドで、ノズルの配置は、どのノズルも主走査方向でノズルの中心が同一になるノズルは無いように構成した。【選択図】図５
2008119895.tif 000002
【特許請求の範囲】
【請求項１】
主走査方向に移動可能な記録装置のキャリッジに搭載可能であって、インクを吐出可能な複数のノズルが前記主走査方向と交差する副走査方向に配列されたインクジェット記録ヘッドにおいて、
前記複数のノズルは、インクの吐出量が多いほうから順に、第１、第２、第３ノズルとなるノズルを含み、
前記第１ノズルは、前記主走査方向に離れて位置する一端側および他端側ノズル列を形成し、
前記第２および第３ノズルは、前記一端側および他端側ノズルの間に位置する中間ノズル列を形成し、
前記中間ノズルを形成する前記第２および第３ノズルのピッチは、前記一端側および他端側ノズル列を形成する前記第１ノズルのピッチよりも小さく、
前記第２ノズルの総数と前記第３のノズルの総数の合計は、前記第１のノズルの総数よりも多く、
前記一端側ノズル列を形成する前記第１ノズルの中心と、前記他端側ノズル列を形成する前記第１ノズルの中心とは、前記副走査方向にずれて位置し、
前記第１、第２、および第３ノズルの中心は、前記副走査方向にずれて位置することを特徴とするインクジェット記録ヘッド。
【請求項２】
前記中間ノズル列は、前記第２および第３ノズルが交互に配列された第１の中間ノズル列および第２の中間ノズル列を含むことを特徴とする請求項１に記載のインクジェット記録ヘッド。
【請求項３】
前記一端側ノズル列と前記第１中間ノズル列との間と、前記他端側ノズル列と前記第２中間ノズル列との間は等しい距離であることを特徴とする請求項２に記載のインクジェット記録ヘッド。
【請求項４】
前記距離は、前記一端側ノズルと他端側ノズルとの間の距離の１０分の１以下であることを特徴とする請求項３に記載のインクジェット記録ヘッド。
【請求項５】
前記第１中間ノズル列に含まれる前記第２および第３ノズルは、異なるノズル列を形成し、
前記第２中間ノズル列に含まれる前記第２および第３ノズルは、異なるノズル列を形成することを特徴とする請求項２に記載のインクジェット記録ヘッド。
【請求項６】
前記中間ノズル列に含まれる前記第２ノズルのピッチ、および前記中間ノズル列に含まれる前記第３のノズルのピッチのそれぞれは、前記一端側ノズル列を形成する第１ノズルのピッチ、および前記他端側ノズル列を形成する前記第１ノズルのピッチの半分であることを特徴とする請求項１ないし請求項５のいずれかに記載のインクジェット記録ヘッド。
【請求項７】
前記第１ノズルから吐出されるインクの吐出量は、前記第２、第３のノズルから吐出されるインクの吐出量の２倍以上であることを特注とする請求項１ないし請求項６のいずれかに記載のインクジェット記録ヘッド。
【請求項８】
前記第１、第２、第３ノズルは同一のインクを吐出することを特徴とする請求項１ないし請求項７のいずれかに記載のインクジェット記録ヘッド。
【請求項９】
インクを吐出可能なインクジェット記録ヘッドを搭載可能なキャリッジを備え、前記キャリッジの移動を伴って記録媒体に画像を記録するインクジェット記録装置において、
前記キャリッジは請求項１ないし請求項８のいずれかに記載のインクジェット記録ヘッドを搭載可能であることを特徴とするインクジェット記録装置。
【発明の詳細な説明】
【技術分野】
【０００１】
本発明は、記録媒体に対してインクを吐出して記録を行うインクジェット記録ヘッド関するものである。
【背景技術】
【０００２】
近年、数多くの記録装置が使用されるようになり、これらの記録装置に対して、高速記録、高解像度、高画像品質、低騒音などが要求されている。このような要求に応える記録装置としてインクジェット式の記録装置（以下、インクジェット記録装置という）を挙げることができる。インクジェット記録装置は、記録ヘッドの吐出口からインク（記録液）滴を吐出飛翔させ、これを記録媒体に付着させて記録するように構成されている。このインクジェット記録装置では、記録ヘッドからインクを吐出させて記録を行うために、記録媒体と非接触での記録が可能であり、非常に安定した記録画像を得ることができる。
【０００３】
図８は、従来のインクジェット記録ヘッドの一部を切り欠いたものを示した斜視図である。インクジェット記録ヘッドは、各吐出口４に対応した電気熱変換素子であるヒータ１を備え、インク流路であるノズル５を個別に独立して形成するための隔離壁が、吐出口４から供給室６の近傍まで延設されている。このような記録ヘッドは、特許文献１に開示されたインクジェット記録方法が適用されたインク吐出手段を有しており、インクの吐出時に発生する気泡が吐出口を介して外気と連通するように構成されている。
【０００４】
記録品位を判断する要因の一つに粒状性がある。記録結果にこの粒状性が目立つと記録品位は低くなる。そこで、粒状性を目立たなくするために、従来から、吐出するインク滴のサイズの異なったノズルを設け、画像の明部から中間部分は小さいインク滴で記録を行い、中間調部分から暗部までは大きいインク滴で記録するような記録方法が提案されている。
【０００５】
また特許文献２には、大小のインク滴を吐出するノズルをインクジェット記録ヘッドが走査する主走査方向に対象となるように配置し、双方向記録を実現することで飛翔するインク滴が受ける気流の影響を平均化して画質を向上させる方法も提案されている。
【０００６】
図９は、特許文献２に開示されているノズル配置図である。大液滴を吐出するノズル列１５と小液滴を吐出するノズル列１６とが同一ピッチで並んでおり、大小ノズルは半ピッチずれて配置されている。さらに対称ノズル配置のため、大小ノズル列がそれぞれもう一列あり、大小ノズル列はそれぞれ半ピッチずれて配置されている。これはシアン、マゼンタのみこのような大小対照構成となっており、イエローは大ノズル列のみの構成となっている。図９において、左右で同じ吐出量のノズルを見た場合、実際には半ピッチずれているが、ここでは便宜上対象と称する。
【０００７】
【特許文献１】特開平４−１０９４０号公報
【特許文献２】特開２００４−１４９１号公報
【発明の開示】
【発明が解決しようとする課題】
【０００８】
このような、大小のノズルが対照となる構成を採用した場合、インクジェット記録ヘッド（以下、単に記録ヘッドともいう）の主走査方向には多くのノズルが配列することになり、インクジェット記録ヘッドは幅の広いものになる。記録ヘッドの幅が広い場合、記録装置に対して、記録ヘッドが傾いて装着されていた場合、そのまま記録を行うと、傾きによるインク滴の着弾位置ずれは顕著となって記録結果に現れる。
【０００９】
図１０は、記録ヘッドにおいて、主走査方向に配列され各色のインクを吐出する大小２種類のノズルの配置状態を模式的に表わした平面図である。図１０で、主走査方向における記録ヘッドの両端部付近に配置されているノズルであるＣＬ列Ａ、ＣＳ列Ａ、ＣＳ列Ｂ、ＣＳ列Ｂは、シアンのインクを吐出するノズル列である。この場合、両端部のノズル、つまりＣＬ列Ａ、ＣＬ列Ｂ間のピッチは６ｍｍとなる。
【００１０】
図１１は、図１０に示した記録ヘッドで記録を行った場合の、ＣＬ列Ａ、ＣＳ列Ａ、ＣＳ列Ｂ、ＣＬ列Ｂによる記録の様子を示した図である。図１１（ａ）は、記録ヘッドが傾いていない場合における、着弾時の位置関係をわかり易いように列毎に分けて表した図であり、図１１（ｂ）は、記録ヘッドが傾いていない場合における、着弾したインク滴の様子を表わした図である。図１１（ｃ）は、記録ヘッドを約０．２度傾けて記録を行った場合の着弾時のインク滴の位置関係がわかり易いように列毎に分けて表した図であり、図１１（ｄ）は、記録ヘッドが傾いた状態における、着弾したインク滴の様子を表わした図である。
【００１１】
記録ヘッドが傾いていないときは、図１１（ａ）のように吐出されたインク滴は略ノズルの配置通りに記録媒体上に着弾し、図１１（ｂ）のようにインク滴が均一に記録領域を埋めている。
【００１２】
これに対して、記録ヘッドが傾いている時には、図１１（ｃ）のように、吐出されたインク滴は、各ノズルの配置とは異なり傾いた状態の位置に着弾する。その結果、ＣＬ列ＡとＣＬ列Ｂとから吐出されたインク滴は重なり合う部分が多くなってしまい、記録媒体の記録領域を十分に埋めることができなくなる。そして、その影響は記録結果に図１１（ｄ）のように白すじとなって現れる。これは、小ノズルの径が大ノズルの径の１／３と大変小さくかつノズルピッチが広い場合において顕在化しており、またヘッドの傾きも記録ヘッドの走査中に周期的に変化することによって記録ムラが特定周期に発生し、さらに問題を助長していた。
【００１３】
よって本発明は、上記の点に鑑みてなされたものであり、ヘッド傾きによる白すじの発生や記録ムラを防止し、高画質記録を実現することができるインクジェット記録ヘッドおよびインクジェット記録装置を提供することを目的とする。
【課題を解決するための手段】
【００１４】
そのため本発明のインクジェット記録ヘッドは、主走査方向に移動可能な記録装置のキャリッジに搭載可能であって、インクを吐出可能な複数のノズルが前記主走査方向と交差する副走査方向に配列されたインクジェット記録ヘッドにおいて、前記複数のノズルは、インクの吐出量が多いほうから順に、第１、第２、第３ノズルとなるノズルを含み、前記第１ノズルは、前記主走査方向に離れて位置する一端側および他端側ノズル列を形成し、前記第２および第３ノズルは、前記一端側および他端側ノズルの間に位置する中間ノズル列を形成し、前記中間ノズルを形成する前記第２および第３ノズルのピッチは、前記一端側および他端側ノズル列を形成する前記第１ノズルのピッチよりも小さく、前記第２ノズルの総数と前記第３のノズルの総数の合計は、前記第１のノズルの総数よりも多く、前記一端側ノズル列を形成する前記第１ノズルの中心と、前記他端側ノズル列を形成する前記第１ノズルの中心とは、前記副走査方向にずれて位置し、前記第１、第２、および第３ノズルの中心は、前記副走査方向にずれて位置することを特徴とする。
【００１５】
また、本発明のインクジェット記録装置は、インクを吐出可能なインクジェット記録ヘッドを搭載可能なキャリッジを備え、前記キャリッジの移動を伴って記録媒体に画像を記録するインクジェット記録装置において、前記キャリッジは前記に記載のインクジェット記録ヘッドを搭載可能であることを特徴とする。
【発明の効果】
【００１６】
本発明によれば、吐出量が大、中、小液滴の３種類の液滴を吐出するノズルを備えた記録ヘッドで、ノズルの配置は、吐出量が異なるノズルが主走査方向の直線上にノズルの中心が無いように構成することで白すじや記録ムラの発生は無く高画質な記録結果を得ることができる。
【発明を実施するための最良の形態】
【００１７】
（第１の実施形態）
以下、図面を参照して本発明の第１の実施形態を詳細に説明する。  
図１は、本発明の一実施形態であるインクジェット記録装置ＩＪＲＡの構成を示す外観斜視図である。図１において駆動モータ５０１３の回転を伝達する駆動力伝達ギア５００９〜５０１１を介して回転するリードスクリュ５００５の螺旋溝５００４と係合するキャリッジＨＣは、ピン（不図示）を有し、ガイドレール５００３に支持されて矢印ａ，ｂ方向を往復移動する。キャリッジＨＣには、記録ヘッドＩＪＨとインクタンクＩＴとを内蔵した一体型インクジェットカートリッジＩＪＣが搭載されている。また、インクジェット記録装置ＩＪＲＡの本体支持板５０１８には、キャリッジＨＣの移動方向に亙って記録媒体Ｐをプラテン５０００に対して押圧する紙押え板５００２が支持されている。さらに、本体支持板５０１８には、キャリッジのレバー５００６の存在を確認してモータ５０１３の回転方向切り換え等を行うためのホームポジション検知器であるフォトカプラ５００７、５００８、が支持されている。さらに本体支持板５０１８には、記録ヘッドＩＪＨのインク吐出面をキャップするキャップ部材５０２２を支持する部材５０１６、記録ヘッドの吸引回復を行う吸引器５０１５、クリーニングブレード５０１７を前後に移動可能にする部材５０１９が支持されている。クリーニングブレード５０１７は、この形態でなく他の周知のクリーニングブレードが本例に適用できることは言うまでもない。また、吸引回復の吸引を開始するためのレバー５０２１が本体支持板５０１８に備えられており、キャリッジと係合するカム５０２０の移動に伴って移動し、駆動モータからの駆動力がクラッチ切り換え等の公知の伝達機構で移動制御される。
【００１８】
これらのキャッピング、クリーニング、吸引回復の動作は、キャリッジがホームポジション側の領域に来た時にリードスクリュ５００５の作用によって所望の処理が行えるように構成されているが、所望のタイミングで動作を行うようにしてもよい。
【００１９】
図２は、インクジェット記録装置ＩＪＲＡの制御回路の構成を示すブロック図である。制御回路は、記録信号を入力するインタフェース１７００、ＭＰＵ１７０１が実行する制御プログラムを格納するＲＯＭ１７０２、各種データ（上記記録信号や記録ヘッドＩＪＨに供給される記録データ等）を保存しておくＤＲＡＭ１７０３等を備えている。記録ヘッドＩＪＨに対する記録データの供給制御を行うゲートアレイ（Ｇ．Ａ．）１７０４は、インタフェース１７００、ＭＰＵ１７０１、ＲＡＭ１７０３間のデータ転送制御も行う。また、各モータを駆動するためのドライバとして、記録ヘッドＩＪＨを駆動するヘッドドライバ１７０５、それぞれ搬送モータ１７０９、キャリアモータ１７１０を駆動するためのモータドライバ１７０６，１７０７を備えている。
【００２０】
インタフェース１７００に記録信号が入るとゲートアレイ１７０４とＭＰＵ１７０１との間で記録信号がプリント用の記録データに変換される。そして、モータドライバ１７０６、１７０７が駆動されると共に、ヘッドドライバ１７０５に送られた記録データに従って記録ヘッドＩＪＨが駆動され記録が行われる。
【００２１】
図３は、本発明における第１の実施形態で、図３(ａ)は発熱素子が列状になったノズル列の一部を拡大したものであり、図３(ｂ)は図３(ａ)におけるＡ−ＡＡ断面を模式的に表わした断面図である。図３に示す形態のインクジェット記録ヘッドは、発熱素子（ヒータ）１やインクの流路であるノズル５を個別に独立して形成するための隔離壁が、吐出口４から供給室近傍まで延設されて構成されている。本実施形態は、大中小３種類の量の液滴を吐出するノズルを配しており、大液滴は２〜５ｐｌ、中液滴は１〜２ｐｌ、小液滴は１ｐｌ以下のインク滴を吐出可能な構成となっている。この吐出可能な範囲内で、本実施形態においては大液滴の吐出量が、中液滴および小液滴の吐出量の２倍以上となるように、各ノズルからの吐出量を選択的に用いる。例えば、大液滴５ｐｌの場合は、中液滴２ｐｌ、小液滴１ｐｌまた、大液滴３ｐｌの場合は、中液滴１ｐｌ、小液滴０．５ｐｌのように吐出量を選択的に用いる。このように、吐出する液滴の量を３種類にすることで中間調の表現が良く、階調性の良い高画質記録が可能である。
【００２２】
図４は、本実施形態におけるインクジェット記録ヘッドのノズル構成を模式的に表わした図である。シアンのインクを吐出するＣＬ列、ＣＳ列、マゼンタのインクを吐出するＭＬ列、ＭＳ列、イエローのインクを吐出するＹＬ列を備えている。イエローを吐出するノズルに関しては大液滴を吐出するノズルのみを備えており、中液滴、小液滴を吐出するノズルは備えていない。また、本実施形態の記録ヘッドは図４からも分かるように、各色のノズル列は左右対称に配置されており、ただ左右のノズルで副走査方向（矢印β方向）にオフセットされて配置されている。
【００２３】
本実施形態では最も離れた位置に配置されているノズル列であるＣＬ列ＡとＣＬ列Ｂとの距離Ｌは約６ｍｍであり、ＣＬ列ＡとＣＳ列Ａとの距離ＭおよびＣＬ列ＢとＣＳ列Ｂとの距離Ｎは約０．２５ｍｍとなっている。また、マゼンタのインクを吐出するノズルのＭＬ列ＡとＭＬ列Ｂとの距離Ｏは約３ｍｍ、ＭＬ列ＡとＭＳ列Ａとの距離ＰおよびＭＬ列ＢとＭＳ列Ｂとの距離Ｑは約０．２５ｍｍとなっている。また、記録ヘッドの同じ側にある同色のインクを吐出するノズルで、大液滴を吐出するノズルと小液滴を吐出するノズルとの距離は、大液滴を吐出するノズルと中液滴を吐出するノズルとの距離よりも短い距離に構成されている。
【００２４】
このように、大液滴を吐出するノズルと小液滴を吐出するノズルとの距離に対して、同色のインクを吐出する左右対象にあるノズル列（ノズルの配置はオフセットされている）の大液滴を吐出するノズル同士の距離が１０倍以上となるように構成されている。本発明は、このような構成の記録ヘッドに効果的である。
【００２５】
また図５は、図４におけるシアンインクを吐出するＣＬ列Ａ、ＣＳ列Ａ、ＣＳ列Ｂ、ＣＬ列Ｂを、実際の記録ヘッドの配置で拡大して示した図である。図５のように記録ヘッドは、その一端に主走査方向（矢印α方向）と垂直となるように配列された第１のノズル列７と、供給室を挟んで第１のノズル列７に対向する位置に第２のノズル列８とを備えている。またさらに記録ヘッドは、他端に第３のノズル列９、供給室を挟んで第３のノズル列９に対向する位置に第４のノズル列１０を備えている（小液滴を吐出するノズル列と中液滴を吐出するノズル列とを合わせて１つのノズル列８およびノズル列９としている）。
【００２６】
ノズル列８とノズル列９のノズルピッチはノズル列７、ノズル列１０のノズルピッチの１／２倍である。また、ノズル列７、ノズル列１０のノズルの配置は、ノズル列８、ノズル列９のノズルの配置とずれており、α方向でどのノズルも、その中心が重ならないように配置されている。ノズル列８またはノズル列９では、発熱素子や流路形状の大きさからノズル列７あるいはノズル列１０のように１列に配置することができないため、ノズルが交互に千鳥状に配置されている。しかし、同量の液滴を吐出するノズルは、それぞれノズル列７やノズル列１０のように、ノズル列８またはノズル列９において直線を成して配置されている。
【００２７】
ノズル列７、ノズル列１０のノズルピッチｐ１は４２．３μｍ（６００ｄｐｉ）である。また、ノズル列８、９のノズルピッチｐ２（ノズル列８、９に関しては便宜的に、異なる量の液滴を吐出するノズルが直線的に交互に配置された場合のノズル中心間の距離という意味でピッチという言葉を用いる）は２１．２μｍ（１２００ｄｐｉ）である。つまり、ノズル列８、ノズル列９にはノズル列７、ノズル列１０の２倍の数のノズルが備えられている。また、ノズル列７に対するノズル列８のオフセット量ｐ３は５．３μｍ（４８００ｄｐｉ）であり、ノズル列８のノズルピッチの１／４ピッチとなっている。また、ノズル列７に対してノズル列１０もオフセットしており、そのオフセット量ｐ５は２１．２μｍ（１２００ｄｐｉ）である。
【００２８】
また、大液滴を吐出するノズル列７の対岸であるノズル列８は、中、小液滴を吐出するノズルが交互に配置されている。小液滴を吐出するノズル位置と大液滴を吐出するノズル位置の主走査方向のオフセット量ｐ３は、５．３μｍ（４８００ｄｐｉの１ドット分）である。そして、中液滴を吐出するノズル位置と大液滴を吐出するノズル位置の主走査方向のオフセット量ｐ４は、１５．９μｍ（４８００ｄｐｉの３ドット分）と広く設定されている。これはノズル列９とノズル列１０のノズル位置関係でも同様の位置関係である。
【００２９】
ノズル列８およびノズル列９が備えている中液滴および小液滴を吐出するノズルはの吐出口径はφ５以上φ１２以下であり、それらのピッチは１０μｍ以上３０μｍ以下である。
【００３０】
このように各ノズルが配置された本実施形態の記録ヘッドで記録を行った場合のインク滴の着弾位置について、記録ヘッドの傾きが無い場合と傾きが有る場合とで説明する。
【００３１】
図６は、本実施形態の記録ヘッドで記録を行った場合の記録結果を示した図であり、図４におけるＣＬ列Ａ、ＣＳ列Ａ、ＣｆＳ列Ｂ、ＣＬ列Ｂによる記録の結果を示した図である。図６（ａ）は、記録ヘッドが傾いていない場合の、インク滴着弾時の位置関係をわかり易いように列毎に分けて表した図であり、図６（ｂ）は、記録ヘッドが傾いてない場合における、着弾したインク滴の様子を模式的に表わした図である。図６（ｃ）は、記録ヘッドを約０．２度傾けて記録を行った場合の着弾時のインク滴の位置関係がわかり易いように列毎に分けて表した図であり、図６（ｄ）は、記録ヘッドが傾いた場合の、着弾したインク滴の様子を模式的に表わした図である。
【００３２】
ここで、図６の第七列は、図５におけるノズル列７から吐出された液滴の着弾状態を示している。また同様に、図６の第八列は図５におけるノズル列８、図６の第九列は図５におけるノズル列９、図６の第十列は図５におけるノズル列１０、から吐出された液滴の着弾状態を示している。
【００３３】
小液滴用のノズルと中液滴用のノズルは千鳥配置で並んでいるため、インク滴を吐出するタイミングが同じであればインク滴は走査方向にずれて着弾する。しかし、これは駆動タイミング（駆動ラスタ）を調整することで図６（ａ）のように直線的に着弾させることが可能である。
【００３４】
ここで、今回採用した記録ヘッドの傾き角である０．２度は、インクジェット記録装置において一般的に記録ヘッドが傾く最大の角度であり、記録ヘッドが０．２度以上傾いた場合、記録結果に許容範囲を超える不具合が出てしまう。したがって、記録ヘッドの傾きは通常この範囲内に抑えるように構成されている。
【００３５】
記録ヘッドの傾きが無い状態で記録を行った結果は、図６（ｂ）のように液滴がほぼ均一に記録領域（エリアファクタ）を埋めていることが分かる。そして、記録ヘッドを傾けて記録を行った場合にも、図６（ｄ）のように、大液滴と大液滴の間を中液滴が埋める状態となり、インク滴が重なる密度分布が略均一であり、濃度ムラが発生しにくい構成になっている。（以下、第七列と第八列のノズルを例に挙げて説明するが、第十列と第九列のノズルに関しても同様のことが言える）つまり、第八列のノズルの数は、第七列のノズルの数の２倍であり、かつ第七列のノズルに対して第八列のノズルは位置がオフセットしている。したがって、記録ヘッドの傾きによって、第七列のノズルが吐出した液滴の着弾位置に、第八列のノズル列が有する２種類の異なる吐出量のノズル（中液滴、小液滴）のうちのどちらか一方から吐出した液滴と重なっても、他方は重ならない位置に着弾する。したがって記録密度が均一になりやすい。
【００３６】
このような、構成によれば記録ヘッドが左右何れに傾いた場合でも、記録結果の記録密度を均一にする効果を得ることができ、高画質記録結果を得ることができる。
【００３７】
また、前述のように本実施形態においては、記録ヘッドは大液滴と小液滴を吐出するノズルのほかに、中液滴を吐出するノズルを備えている。すなわち、本実施形態は、より階調性が取れるだけでなく、画像ムラについても記録ヘッド傾き時に大液滴の間を中液滴で埋める効果を有する大中小ノズルの最適配置の構成となっている。
【００３８】
このように、大、中、小液滴の３種類の液滴を吐出するノズルを備えた記録ヘッドで、ノズルの配置は、主走査方向の直線上に吐出量が異なるノズルの中心が無いように構成した結果、白すじや記録ムラの発生は無く、高画質な記録結果を得ることができた。
【００３９】
（第２の実施形態）
図７は、本実施形態の記録ヘッドであり、各ノズルの配置がわかりやすいように拡大して示した図である。構成は図５の記録ヘッドと略同様であり、ヒータ、素子基板、流路構成基板、ノズル、隔離壁、吐出口などを備えた構成となっている。しかし、第１の実施形態と異なるのは、小液滴と中液滴を吐出するノズルの配置が千鳥配置になっていないことである。図のノズル列１２、１３のように、小液滴を吐出する小ノズルと中液滴を吐出する中ノズルとは、直線上に交互に配置されている。小ノズルと中ノズルのピッチｒ２は、ノズル列１１およびノズル列１４に配列されている、大ノズルのピッチｒ１（４２．３μｍ）の約半分である２１．２μｍとなっている。また、ノズル列１１のノズルピッチｒ１に対してノズル列１２の小ノズルのノズルピッチｒ２はずれており、そのオフセット量ｒ３は１５．９μｍである。また、ノズル列１１に対してノズル列１４もオフセットしており、そのオフセット量ｒ５は２１．２μｍ（１２００ｄｐｉ）である。このように各ノズルの配置をずらすことで大ノズルと小ノズル、中ノズルとが主走査方向で重ならない構成となっている。
【００４０】
また、第１の実施形態の小ノズルと中ノズルと比較して、本実施形態の小ノズルと中ノズルとはサイズが小さく構成されている。小ノズルと中ノズルとが小さく構成されていることで直線上に小ノズルと中ノズルとを交互に配列することを可能にしている。これは、ノズル列１３とノズル列１４のノズル位置についても同様である。
【００４１】
小ノズルおよび中ノズルは、第１の実施形態よりもノズルの径が小さくなっており、記録結果において記録媒体上でインク滴の占める割合も本実施形態のほうが第１に実施形態に比べて小さくなる。しかし、記録ヘッドが傾いた場合の記録結果において、小液滴あるいは中液滴の大きさは、大液滴の間を埋めるのに十分なものである。したがって、本実施形態の記録ヘッドによる記録結果も、第１の実施形態同様に、白すじや記録ムラの発生は無く、高画質な記録結果を得ることができた。
【図面の簡単な説明】
【００４２】
【図１】本発明の一実施形態であるインクジェット記録装置の構成を示す外観斜視図である。
【図２】インクジェット記録装置の制御回路の構成を示すブロック図である。
【図３】図３(ａ)は、発熱素子が列状になったノズル列を拡大したものであり、図３(ｂ)は、図３(ａ)におけるＡ−Ａ‘断面の模式図である。
【図４】第１の実施形態のインクジェット記録ヘッドのノズル構成を表わした図である。
【図５】図４におけるシアンインクを吐出するノズル列を、拡大して示した図である。
【図６】図６（ａ）は、着弾したインク滴の位置関係を列毎に表した図であり、図６（ｂ）は、記録ヘッドが傾いていない場合の、着弾したインク滴を表わした図であり、図６（ｃ）は、記録ヘッドを傾けて記録を行った場合のインク滴の位置関係を列毎に表した図であり、図６（ｄ）は、記録ヘッドが傾いた状態における、着弾したインク滴の様子を表わした図である。
【図７】第２の実施形態の記録ヘッドを拡大して示した図である。
【図８】従来のインクジェット記録ヘッドの一部を切り欠いたものを示した斜視図である。
【図９】特許文献１に開示されているノズル配置図である。
【図１０】主走査方向に配列され大小２種類のノズルの配置状態を表わした平面図である。
【図１１】従来の記録装置による記録結果を表わした図であり、図１１（ａ）は、着弾したインク滴の位置関係を列毎に表した図であり、図１１（ｂ）は、記録ヘッドが傾いていない場合の、着弾したインク滴を表わした図であり、図１１（ｃ）は、記録ヘッドを傾けて記録を行った場合のインク滴の位置関係を列毎に表した図であり、図１１（ｄ）は、記録ヘッドが傾いた状態における、着弾したインク滴の様子を表わした図である。
【符号の説明】
【００４３】
５  ノズル
７、８、９、１０、１１、  ノズル列
５０００  プラテン
５００３  ガイドレール
５００４  螺旋溝
５００５  リードスクリュ
５０１３  駆動モータ
５０１７  クリーニングブレード
５０１８  本体支持板
５０２２  キャップ部材
Ｐ  記録媒体
ＩＴ  インクタンク
ＩＪＨ  記録ヘッド
ＩＪＲＡ  インクジェット記録装置
ＩＪＣ  インクジェットカートリッジ
【図１】
2008119895.tif 000003
【図２】
2008119895.tif 000004
【図３】
2008119895.tif 000005
【図４】
2008119895.tif 000006
【図５】
2008119895.tif 000007
【図６】
2008119895.tif 000008
【図７】
2008119895.tif 000009
【図８】
2008119895.tif 000010
【図９】
2008119895.tif 000011
【図１０】
2008119895.tif 000012
【図１１】
2008119895.tif 000013